(57)【要約】【課題】本発明の目的は、電子製品の設置角度が変わっても銘板を自由に回転させることによって銘板上のマークを容易に識別可能な、且つ、電子製品のパネル全体の美観を確保可能な電子製品のパネルを提供することである。【解決手段】本発明の電子製品のパネルは、パネル本体と、パネル本体に装着される銘板とを備えているパネルであって、パネル本体には、貫通孔と少なくとも１つの弧状のスライド溝とが設けられており、貫通孔が、スライド溝と同心に配置された位置決め領域と、位置決め領域の片側から異なる方向に沿って拡大された第１の拡張領域及び第２の拡張領域と、第１の拡張領域と第２の拡張領域との間に位置する移行領域と、を含んでおり、銘板の正面には、マークが設けられ、銘板の背面には、パネル本体のスライド溝を貫通すると共に貫通孔の底板に掛止される少なくとも１つの係止部品と、パネル本体の貫通孔内に収容されるカムと、が設けられている。【選択図】図１
2014013896.tif 000002
【特許請求の範囲】
【請求項１】
パネル本体と、前記パネル本体に装着される銘板とを備えている電子製品のパネルであって、
前記パネル本体には、貫通孔と少なくとも１つの弧状のスライド溝とが設けられており、
前記貫通孔が、前記スライド溝と同心に配置されている位置決め領域と、前記位置決め領域の片側から異なる方向に沿って拡大されている第１の拡張領域及び第２の拡張領域と、前記第１の拡張領域と前記第２の拡張領域との間に位置する移行領域と、を含んでおり、
前記銘板の正面には、マークが設けられており、前記銘板の背面には、前記パネル本体のスライド溝を貫通すると共に前記貫通孔の底板に掛止される少なくとも１つの係止部品と、前記パネル本体の前記貫通孔内に収容されるカムと、が設けられており、
前記カムが、前記位置決め領域の位置に対応する回転部と、前記回転部の一端から外側へ延在している延在部と、を備えており、
前記延在部が、前記銘板の回転角度の変化に従って、前記貫通孔の前記第１の拡張領域、前記第２の拡張領域、又は前記移行領域内に係合されることを特徴とする電子製品のパネル。
【請求項２】
前記貫通孔の内壁において、前記第１の拡張領域と前記移行領域との間には第１のストッパ部が設けられており、
前記貫通孔の内壁において、前記第２の拡張領域と前記移行領域との間には第２のストッパ部が設けられており、
前記カムの延在部が、前記パネル本体の前記貫通孔の第１の拡張領域又は第２の拡張領域内に係合された後に、前記カムの延在部が、前記第１のストッパ部又は前記第２のストッパ部によって止められることを特徴とする請求項１に記載の電子製品のパネル。
【請求項３】
前記第１の拡張領域と前記第２の拡張領域とが、前記位置決め領域の片側から互いに直交する方向に沿って拡大されていることを特徴とする請求項１に記載の電子製品のパネル。
【請求項４】
前記銘板の係止部品が、前記銘板の背面から前記背面に対して垂直に延在している弾性のフレームと、前記フレームの末端の底面から下方へ突起しているフック部と、を含んでおり、
前記フレームが、前記パネル本体のスライド溝内にスライド可能に収容され、
前記フック部が、前記スライド溝に隣接する前記底板に掛止されることを特徴とする請求項１に記載の電子製品のパネル。
【発明の詳細な説明】
【技術分野】
【０００１】
本発明は、電子製品のパネルに関する。
【背景技術】
【０００２】
通常、コンピュータのキャビネットは、使用時の便利性を図るために、縦置きに又は横置きに設置されている。図１に表わすように、コンピュータのキャビネットのパネル１００には、装飾及び標示の役割を果たす銘板１０２が設けられている。銘板１０２には、商標又は生産メーカー等を示すためのマーク１０３が設けられている。
【０００３】
銘板１０２がコンピュータのキャビネットのパネル１００に固定されている場合に、銘板１０２の向きと、コンピュータのキャビネットのパネル１００の設置方向とが相違する場合がある。従って、この場合には、マーク１０３を識別することが困難であり、且つ、コンピュータのキャビネットのパネル１００の美観も損なわれる。このような問題は、コンピュータ以外の電子製品のパネルにおいても発生する。
【発明の概要】
【発明が解決しようとする課題】
【０００４】
本発明の目的は、上述の問題点を解決することであり、電子製品が設置される角度の変化に従って銘板を自由に回転させることによって、銘板上のマークを容易に識別可能とし、且つ、電子製品のパネル全体の美観を確保可能とされる電子製品のパネルを提供することである。
【課題を解決するための手段】
【０００５】
上記の課題を解決するために、本発明に係る電子製品のパネルは、パネル本体と、パネル本体に装着される銘板とを備えている電子製品のパネルであって、パネル本体には、貫通孔と少なくとも１つの弧状のスライド溝とが設けられており、貫通孔が、スライド溝と同心に配置されている位置決め領域と、位置決め領域の片側から異なる方向に沿って拡大されている第１の拡張領域及び第２の拡張領域と、第１の拡張領域と第２の拡張領域との間に位置する移行領域と、を含んでおり、銘板の正面には、マークが設けられており、銘板の背面には、パネル本体のスライド溝を貫通すると共に貫通孔の底板に掛止される少なくとも１つの係止部品と、パネル本体の貫通孔内に収容されるカムと、が設けられており、カムが、位置決め領域の位置に対応する回転部と、回転部の一端から外側へ延在している延在部と、を備えており、延在部が、銘板の回転角度の変化に従って、貫通孔の第１の拡張領域、第２の拡張領域、又は移行領域内に係合される。
【発明の効果】
【０００６】
従来の技術とは異なり、本発明の電子製品のパネルは、銘板のカムの延在部とパネル本体の貫通孔の異なる方向の拡張領域との組み合せを利用することによって、銘板を異なる回転角度に位置決めし、銘板をパネル本体の異なる設置方向に方向づけることができる。従って、銘板上のマークを容易に識別可能とされ、且つ、電子製品のパネル全体の美観を確保可能とされる。
【図面の簡単な説明】
【０００７】
【図１】従来のコンピュータのキャビネットのパネルの使用状態を表わす。
【図２】本発明における電子製品のパネルの銘板をパネル本体から取り外した状態を表わす。
【図３】図２に表わすパネル本体の一部分及び銘板の背面の拡大図である。
【図４】図２に表わす電子製品のパネルの銘板をパネル本体に組み込んだ状態を表わす組立図である。
【図５】図４に表わす電子製品のパネルを反対側から見た場合における部分拡大図である。
【図６】図４に表わす電子製品のパネルの他の使用状態を示す。
【発明を実施するための形態】
【０００８】
図２及び図３に表わすように、本発明の実施形態に係る電子製品のパネルは、パネル本体１０及び銘板３０を備えている。
【０００９】
パネル本体１０の中央部には、内側に窪んだ形態に形成された円状の収容部１１が設けられている。収容部１１の底板１１２には、互いに対して対向して形成された２つのスライド溝１１３が設けられている。２つのスライド溝１１３は弧状に形成されており、且つ、同心に配置されている。収容部１１の底板１１２の中心位置には、貫通孔１１４が設けられている。貫通孔１１４は、スライド溝１１３と同心に配置されている位置決め領域１１４０と、位置決め領域１１４０の片側から互いに直交する方向に沿って拡大されている第１の拡張領域１１４１及び第２の拡張領域１１４２と、第１の拡張領域１１４１と第２の拡張領域１１４２との間に位置する移行領域１１４３とを備えている。貫通孔１１４の内壁において、第１の拡張領域１１４１と移行領域１１４３との間には第１のストッパ部１１１２が設けられており、第２の拡張領域１１４２と移行領域１１４３との間には第２のストッパ部１１１３が設けられている。
【００１０】
銘板３０は、正面にマーク３１０が設けられた楕円状の平板体である。銘板３０の背面は、互いに対して対向すると共に同心に配置された２つの弧状リブ３２と、２つの弧状リブ３２の隣り合う末端同士の間に設けられた係止部品３４と、２つの弧状リブ３２の弧の中心に位置するカム３６とを備えている。カム３６は、円状の回転部３６１と、回転部３６１の一側から延在している延在部３６３とを備えている。各係止部品３４は、銘板３０の背面から当該背面に対して垂直に延在している弾性のフレーム３４１と、フレーム３４１の末端の底面から下方へ突出しているフック部３４３とを備えている。
【００１１】
図４〜図６に表わすように、組み立てる場合には、銘板３０の弧状リブ３２をパネル本体１０の収容部１１に対応させて収納し、２つの係止部品３４のフレーム３４１それぞれをパネル本体１０の２つのスライド溝１１３内にスライド可能に収納し、且つ、２つの係止部品３４のフック部３４３を各スライド溝１１３に隣接する底板１１２に掛止する。これにより、銘板３０がパネル本体１０から離脱することを防止することができる。また、上述の動作と同時に、銘板３０のカム３６をパネル本体１０の貫通孔１１４に貫通させ、且つ、カム３６の回転部３６１を貫通孔１１４の位置決め領域１１４０内に収容させる。これにより、銘板３０が回転されると、銘板３０の回転角度の変化に従って、カム３６の延在部３６３が、貫通孔１１４の第１の拡張領域１１４１、第２の拡張領域１１４２、又は移行領域１１４３内に係合される。
【００１２】
従って、図４に表わすように、パネル本体１０を縦置きに設置する場合には、ユーザーは、銘板３０を回転させ、カム３６の延在部３６３をパネル本体１０の貫通孔１１４の第１の拡張領域１１４１内に係合させることによって、銘板３０のマーク３１０をパネル本体１０の垂直方向に対して正方向に設置することができる。
【００１３】
また、図６に表わすように、パネル本体１０を横置きに設置する場合には、ユーザーは、銘板３０を回転させ、カム３６の延在部３６３をパネル本体１０の貫通孔１１４の第１の拡張領域１１４１の外側に移動させ、移行領域１１４３を経由して第２の拡張領域１１４２内に係合させることによって、銘板３０のマーク３１０をパネル本体１０の水平方向に対して正方向に設置することができる。
【００１４】
銘板３０を回転させる過程において、カム３６の第１の延伸部３６３がパネル本体１０の貫通孔１１４の第１の拡張領域１１４１又は第２の拡張領域１１４２内に係合された後に、カム３６の延在部３６３が、パネル本体１０の第１のストッパ部１１１２又は第２のストッパ部１１１３によって、第１の拡張領域１１４１或いは第２の拡張領域内で止められる。これにより、カム３６が不慮に回転することによって、銘板３０が傾くことが防止される。  
【００１５】
以上、本発明の好適な実施形態について詳細に説明したが、本発明は当該実施形態に限定される訳ではなく、本発明の技術的範囲内において様々な変形又は修正が可能であり、当該変形又は修正も本発明の特許請求の範囲内に含まれることは言うまでもない。
【符号の説明】
【００１６】
１０      パネル本体
１１      収容部
１００    キャビネット
１０２    銘板
１０３    マーク
１１２    底板
１１１２  第１のストッパ部
１１１３  第２のストッパ部
１１３    スライド溝
１１４    貫通孔
１１４０  位置決め領域
１１４１  第１の拡張領域
１１４２  第２の拡張領域
１１４３  移行領域
３０      銘板
３１０    マーク
３２      弧状リブ
３４      係止部品
３４１    フレーム
３４３    フック部
３６      カム
３６１    回転部
３６３    延在部
【図１】
2014013896.tif 000003
【図２】
2014013896.tif 000004
【図３】
2014013896.tif 000005
【図４】
2014013896.tif 000006
【図５】
2014013896.tif 000007
【図６】
2014013896.tif 000008